(57)【特許請求の範囲】
【請求項１】
複数のボールを収容することが可能であり、
複数の第１枢着部と、複数の第１当接部と、が設けられており、前記第１枢着部は少なくとも三つあり、前記各第１当接部と前記各第１枢着部は互いに連通し、前記第１当接部は、斜めに貫通する穴であり、その数量が前記第１枢着部と同じであり、その他側に第２当接部が設けられており、前記第２当接部は、前記第１当接部及び前記第１枢着部と連通し、直線的に貫通する穴であり、前記第１当接部との開角が第１角度を有する台座と、
その数量は前記台座の前記第１枢着部の数量と同じであり、前記台座の前記第１当接部に当接し、第２枢着部が設けられており、前記第２枢着部は、前記第１枢着部に対応して互いに枢着し、円形な貫通孔であり、その上方に第１結合部が設けられており、前記第１結合部は第２結合部と前記第１枢着部の間に設けられている複数の支持枠と、
前記各ボールを収容することが可能であり、複数の第３結合部が設けられており、前記第３結合部は前記第２結合部と結合して互いに係止する袋と、
複数の第４結合部が設けられており、前記第４結合部は前記支持枠の前記第１結合部と結合し、前記袋の底部と接触するバンドと、
前記台座の前記第１枢着部と前記支持枠の前記第２枢着部を枢着し、その数量が前記台座の前記第１枢着部の数量と同じである複数の枢着具と、
を含み、
前記複数の支持枠は、互いに交錯して放射状を呈し、平面又は床面で安定的に立つことが可能であり、前記第１枢着部を中心として旋回することが可能であり、
前記袋の重量は前記複数の支持枠の前記第２結合部と前記バンドに支持されることが可能であり、
ユーザが前記バンドを引くと、前記複数の支持枠が連動されて、前記台座の前記第１枢着部を中心として前記第２当接部に当接して収納状態になることを特徴とするボール収容枠。
【請求項２】
前記第１枢着部が四つあり、これらの前記第１枢着部は前記台座の周面に配列されており、前記第１当接部が四つあり、前記第２当接部が四つあり、前記支持枠が四つあり、前記袋の前記第３結合部が四つあり、前記袋は網で構成され、前記支持枠が四つある場合には、前記バンドが交差して十字状を呈し、前記枢着具が四つあることを特徴とする、請求項１に記載のボール収容枠。
【請求項３】
前記第１枢着部の前記台座の周面に近接する箇所では、内ねじが設けられており、前記枢着具にねじ部が設けられており、前記ねじ部は外ねじ状を呈し、これにより、前記枢着具は前記第１枢着部と螺合することが可能であることを特徴とする、請求項１に記載のボール収容枠。
【請求項４】
前記第１当接部と前記第２当接部の間に第１凸部が設けられており、前記第１凸部は前記第１枢着部の付近に位置し、前記複数の支持枠は前記台座に収容されて前記第２当接部に当接し、前記第２当接部は鉛直な直線状を呈し、すなわち、前記複数の支持枠のロッドは互いに平行し、且つ前記複数の支持枠は、前記第２当接部内の前記第１凸部と互いに係止するため、前記第１凸部に規制されて、前記第１当接部に戻すことができないことを特徴とする、請求項１に記載のボール収容枠。
【請求項５】
前記支持枠の前記第１結合部は円形な貫通孔であることを特徴とする、請求項１に記載のボール収容枠。
【請求項６】
前記第２結合部はフック状を呈し、前記支持枠は、円形断面形状を有しややＳ字形を呈するロッドであることを特徴とする、請求項１に記載のボール収容枠。
【請求項７】
複数のキャスターが設けられており、前記キャスターは前記支持枠の下方の端部に設けられていることを特徴とする、請求項１に記載のボール収容枠。
【請求項８】
係止ユニットが設けられており、前記係止ユニットの一端は前記複数の支持枠のうちの一つに固定されており、前記係止ユニットの他端は、当該支持枠の隣接する前記支持枠に固定されており、前記係止ユニットの両端は、それぞれ前記台座の前記第１枢着部の上下方に位置することを特徴とする、請求項１に記載のボール収容枠。
【請求項９】
前記係止ユニットは、オス係止部と、メス係止部と、を有し、前記オス係止部と前記メス係止部は互いに係止することが可能であり、前記オス係止部と前記メス係止部との他端は、固定バンドを介して前記支持枠に固定されており、前記オス係止部と前記固定バンドの長さの和は、前記メス係止部と前記固定バンドの長さの和よりも大きいことを特徴とする、請求項8に記載のボール収容枠。
【請求項１０】
固定具が設けられており、前記固定具に固定溝が複数設けられており、前記固定溝の幅は前記支持枠の幅と同じであり、前記各固定溝は前記支持枠を収容することが可能であり、前記固定溝の開口に近接する箇所では、第２凸部が設けられており、前記第２凸部は前記支持枠と互いに係止することが可能であり、これにより、前記支持枠は前記固定溝から容易に離脱することができないことを特徴とする、請求項１に記載のボール収容枠。
【請求項１１】
前記台座の中央に第１嵌合部が設けられており、前記第１嵌合部は円形ではない貫通孔であり、前記第１嵌合部に固定ユニットが設けられており、前記固定ユニットは、固定ロッドと、固定具と、を含み、前記固定ロッドは、その断面形状が前記台座の前記第１嵌合部の形状に対応し、前記台座に結合されており、前記固定具は、前記固定ロッドの他端に結合されており、複数の固定溝を有し、前記固定溝の幅は前記支持枠の幅と同じであり、前記各固定溝は前記支持枠を収容することが可能であり、前記固定溝の開口に近接する箇所では、第２凸部が設けられており、前記第２凸部は前記支持枠と互いに係止することが可能であり、これにより、前記支持枠は前記固定溝から容易に離脱することができないことを特徴とする、請求項１に記載のボール収容枠。
【請求項１２】
前記第１嵌合部は前記第１枢着部と連通し、前記固定ロッドの一端に第１結合穴が設けられており、前記第１結合穴は前記台座の前記第１枢着部に対向し、前記枢着具は前記第１枢着部を挿通して前記第１結合穴に収容され、これにより、前記固定ロッドは前記台座に結合されていることを特徴とする、請求項１1に記載のボール収容枠。
【請求項１３】
前記固定ロッドの他端に係止溝が複数設けられており、前記固定具の中央に第２嵌合部が設けられており、前記第２嵌合部の断面形状は前記固定ロッドの断面形状と同じであり、前記第２嵌合部の互いに対向する二つの壁面に溝が設けられており、前記溝は前記固定ロッドの前記係止溝に対応し、前記固定具はほぼ卍字形を呈し、前記固定ユニットに係止具が設けられており、前記係止具に係止部が設けられており、前記係止部は、前記固定ロッド内に嵌め設けられており、前記固定ロッドの前記係止溝と互いに係止し、前記固定具の前記溝の底部に係止されており、前記係止具により、前記固定ロッドと前記固定具が結合されることを特徴とする、請求項１1に記載のボール収容枠。
【請求項１４】
前記第１嵌合部は四角形を呈し、前記固定ロッドの断面形状は四角形を呈し、前記第１結合穴は円形な貫通孔であり、前記係止溝は、二つあり、前記固定ロッドの互いに対向する二つの壁面にそれぞれ対応し、長穴状を呈し、前記固定ロッドは中空であり、前記第２嵌合部の互いに対向する二つの壁面に溝が設けられており、前記溝は前記固定ロッドの前記係止溝に対応し、前記固定具はほぼ卍字形を呈することを特徴とする、請求項１1に記載のボール収容枠。
【請求項１５】
複数のブライトリベット構造と、一つのアイレットリベット構造と、を有し、前記ブライトリベット構造により、前記バンドの第４結合部と前記支持枠の前記第１結合部が結合され、前記ブライトリベット構造が四つあり、前記バンドは、二つのストリップを十字形に交差して構成され、その中央の交差箇所が前記アイレットリベット構造で結合されることを特徴とする、請求項１に記載のボール収容枠。
【請求項１６】
前記台座の中央には、貫通孔である螺合穴が設けられており、前記螺合穴は内ねじを有し、支持具の一端に螺合部が設けられており、前記螺合部の周面に外ねじが設けられており、前記螺合部は前記螺合穴と螺合し、前記支持具は前記バンドの底部を支持し、前記袋の重量は、前記複数の支持枠と、前記バンドと、前記支持具とに支持されることを特徴とする、請求項１に記載のボール収容枠。
【請求項１７】
複数の第１枢着部と、複数の第１当接部と、を有し、前記第１枢着部が少なくとも三つあり、前記各第１当接部は前記各第１枢着部と連通し、前記第１当接部は、斜めに貫通する穴であり、その数量が前記第１枢着部と同じであり、前記第１当接部が第１角度で傾斜する台座と、
その数量は前記台座の前記第１枢着部の数量と同じであり、前記台座の前記第１当接部に当接し、第２枢着部が設けられており、前記第２枢着部は、前記第１枢着部に対応して互いに枢着し、その上方に第１結合部が設けられており、前記第１結合部は第２結合部と前記第１枢着部の間に設けられている複数の支持枠と、
前記台座の前記第１枢着部と前記支持枠の前記第２枢着部を枢着し、その数量が前記台座の前記第１枢着部の数量と同じである複数の枢着具と、
を含み、
前記複数の支持枠は、互いに交錯して放射状を呈し、平面又は床面で安定的に立つことが可能であり、
前記第２結合部は前記支持枠の上方の端部に設けられていることを特徴とするボール収容枠。
【請求項１８】
前記第１当接部の他側に第２当接部が設けられており、前記第２当接部は、前記第１当接部及び前記第１枢着部と連通し、直線的に貫通する穴であり、前記支持枠の前記第２枢着部は前記第１枢着部に枢着されており、これにより、前記支持枠は前記第１枢着部を中心として旋回することが可能であり、前記第２枢着部は円形な貫通孔であることを特徴とする、請求項１７に記載のボール収容枠。
【請求項１９】
前記支持枠は袋を支持することが可能であり、前記袋はボールを収容することが可能であり、前記袋に第３結合部が複数設けられており、前記第３結合部は前記第２結合部と結合して互いに係止し、これにより、前記袋が前記複数の支持枠に組み付けられていることを特徴とする、請求項１８に記載のボール収容枠。
【請求項２０】
前記支持枠にバンドを結合することが可能であり、前記バンドに第４結合部が複数設けられており、前記第４結合部は前記支持枠の前記第１結合部と結合し、前記バンドは前記袋の底部と接触し、これにより、前記袋の重量は前記複数の支持枠の前記第２結合部と前記バンドに支持されることが可能であり、ユーザが前記バンドを引くと、前記複数の支持枠が連動されて、前記台座の前記第１枢着部を中心として前記第２当接部に当接して収納状態になることを特徴とする、請求項１９に記載のボール収容枠。
【発明の詳細な説明】
【技術分野】
【０００１】
本発明は、ボール収容枠に関し、特に、台座と、バンドと、を有し、台座に第１当接部が複数設けられており、複数の支持枠は、それぞれ第１当接部に当接して、互いに交錯して放射状となり、バンドにより、ユーザが複数の支持枠を制御することが可能であり、袋の重量を支持することも可能であり、操作の便利性及び実用性が増加するボール収容枠に関するものである。
【背景技術】
【０００２】
従来のボール収容枠は、本願の出願人が提案した特許文献１の米国特許ＵＳ２００８／０１８５８０５Ａ１（台湾特許０９６２００７６３と同じ）に記載してある。これは、少なくとも三つの支持柱２０と、二つの台座３０と、一つの連接具４０と、を含む。これらの支持柱２０は、マトリックスのように配列され、床面に接触する端部にキャスター２３が組み付けられている。各台座３０には、支持柱２０の数量と同じ数量を有する枢着ロッド３１が枢着されている。二つの台座３０は、これらの支持柱２０の軸方向に沿って、これらの支持柱２０の間に設けられている。各枢着ロッド３１は、それぞれ各支持柱２０に枢着されている。連接具４０は、その両端がそれぞれ二つの台座３０に連接されており、二つの台座３０を連接する。
【０００３】
しかし、このようなボール収容枠は次のような欠点がある。
（１）少なくとも三つの主ロッド２１と、二つの台座３０と、少なくとも六つの枢着ロッド３１と、を含むため、部品の点数が多く、生産コストが増加する。
【０００４】
（２）米国特許ＵＳ２００８／０１８５８０５Ａ１の図３に示すように、複数の主ロッド２１に袋が組み付けられていることが一般的である。前記袋は複数のボールを収容することが可能である。このようなボール収容枠が倒れると、複数の支持柱２０が互いに近接して収納状態になる。このように、前記袋に収容されるボールが前記袋から流れ出す。ユーザは、複数の支持柱２０を固定して、前記複数のボールを拾って前記袋に入れることが必要であるため、利用が極めて不便である。
【先行技術文献】
【特許文献】
【０００５】
【特許文献１】米国特許ＵＳ２００８／０１８５８０５Ａ１（台湾特許０９６２００７６３と同じ）公報
【発明の概要】
【発明が解決しようとする課題】
【０００６】
本発明の主な目的は、部品の点数を減少することが可能であり、生産コストを減少することが可能なボール収容枠を提供することにある。
【０００７】
本発明の次の目的は、ボール収容枠が倒れても、複数の支持枠が互いに近接せず、従来のもののように、ユーザは複数の支持枠を再び固定することが必要しないため、利用が極めて便利なボール収容枠を提供することにある。
【課題を解決するための手段】
【０００８】
本発明のボール収容枠によると、複数のボールを収容することが可能であり、複数の第１枢着部と、複数の第１当接部と、が設けられており、第１枢着部は少なくとも三つあり、各第１当接部と各第１枢着部は互いに連通し、第１当接部は、斜めに貫通する穴であり、その数量が第１枢着部と同じであり、その他側に第２当接部が設けられており、第２当接部は、第１当接部及び第１枢着部と連通し、直線的に貫通する穴であり、第１当接部との開角が第１角度を有する台座と、その数量は台座の第１枢着部の数量と同じであり、台座の第１当接部に当接し、第２枢着部が設けられており、第２枢着部は、第１枢着部に対応して互いに枢着し、円形な貫通孔であり、その上方に第１結合部が設けられており、第１結合部は第２結合部と第１枢着部の間に設けられている複数の支持枠と、各ボールを収容することが可能であり、複数の第３結合部が設けられており、第３結合部は第２結合部と結合して互いに係止する袋と、複数の第４結合部が設けられており、第４結合部は支持枠の第１結合部と結合し、袋の底部と接触するバンドと、台座の第１枢着部と支持枠の第２枢着部を枢着し、その数量が台座の第１枢着部の数量と同じである複数の枢着具と、を含み、複数の支持枠は、互いに交錯して放射状を呈し、平面又は床面で安定的に立つことが可能であり、第１枢着部を中心として旋回することが可能であり、袋の重量は複数の支持枠の第２結合部とバンドに支持されることが可能であり、ユーザがバンドを引くと、複数の支持枠が連動されて、台座の第１枢着部を中心として第２当接部に当接して収納状態になることを特徴とする。
【０００９】
本発明のボール収容枠によると、第１枢着部が四つあり、これらの第１枢着部は台座の周面に配列されており、第１当接部が四つあり、第２当接部が四つあり、支持枠が四つあり、袋の第３結合部が四つあり、袋は網で構成され、支持枠が四つある場合には、バンドが交差して十字状を呈し、枢着具が四つあることを特徴とする。
【００１０】
本発明のボール収容枠によると、第１枢着部の台座の周面に近接する箇所では、内ねじが設けられており、枢着具にねじ部が設けられており、ねじ部は外ねじ状を呈し、これにより、枢着具は第１枢着部と螺合することが可能であることを特徴とする。
【００１１】
本発明のボール収容枠によると、第１当接部と第２当接部の間に第１凸部が設けられており、第１凸部は第１枢着部の付近に位置し、複数の支持枠は台座に収容されて第２当接部に当接し、第２当接部は鉛直な直線状を呈し、すなわち、複数の支持枠のロッドは互いに平行し、且つ複数の支持枠は、第２当接部内の第１凸部と互いに係止するため、第１凸部に規制されて、第１当接部に戻すことができないことを特徴とする。
【００１２】
本発明のボール収容枠によると、支持枠の第１結合部は円形な貫通孔であることを特徴とする。
【００１３】
本発明のボール収容枠によると、第２結合部はフック状を呈し、支持枠は、円形断面形状を有しややＳ字形を呈するロッドであることを特徴とする。
【００１４】
本発明のボール収容枠によると、複数のキャスターが設けられており、キャスターは支持枠の下方の端部に設けられていることを特徴とする。
【００１５】
本発明のボール収容枠によると、係止ユニットが設けられており、係止ユニットの一端は複数の支持枠のうちの一つに固定されており、係止ユニットの他端は、当該支持枠の隣接する支持枠に固定されており、係止ユニットの両端は、それぞれ台座の第１枢着部の上下方に位置することを特徴とする。
【００１６】
本発明のボール収容枠によると、係止ユニットは、オス係止部と、メス係止部と、を有し、オス係止部とメス係止部は互いに係止することが可能であり、オス係止部とメス係止部との他端は、固定バンドを介して支持枠に固定されており、オス係止部と固定バンドの長さの和は、メス係止部と固定バンドの長さの和よりも大きいことを特徴とする。
【００１７】
本発明のボール収容枠によると、固定具が設けられており、固定具に固定溝が複数設けられており、固定溝の幅は支持枠の幅と同じであり、各固定溝は支持枠を収容することが可能であり、固定溝の開口に近接する箇所では、第２凸部が設けられており、第２凸部は支持枠と互いに係止することが可能であり、これにより、支持枠は固定溝から容易に離脱することができないことを特徴とする。
【００１８】
本発明のボール収容枠によると、台座の中央に第１嵌合部が設けられており、第１嵌合部は円形ではない貫通孔であり、第１嵌合部に固定ユニットが設けられており、固定ユニットは、固定ロッドと、固定具と、を含み、固定ロッドは、その断面形状が台座の第１嵌合部の形状に対応し、台座に結合されており、固定具は、固定ロッドの他端に結合されており、複数の固定溝を有し、固定溝の幅は支持枠の幅と同じであり、各固定溝は支持枠を収容することが可能であり、固定溝の開口に近接する箇所では、第２凸部が設けられており、第２凸部は支持枠と互いに係止することが可能であり、これにより、支持枠は固定溝から容易に離脱することができないことを特徴とする。
【００１９】
本発明のボール収容枠によると、第１嵌合部は第１枢着部と連通し、固定ロッドの一端に第１結合穴が設けられており、第１結合穴は台座の第１枢着部に対向し、枢着具は第１枢着部を挿通して第１結合穴に収容され、これにより、固定ロッドは台座に結合されていることを特徴とする。
【００２０】
本発明のボール収容枠によると、固定ロッドの他端に係止溝が複数設けられており、固定具の中央に第２嵌合部が設けられており、第２嵌合部の断面形状は固定ロッドの断面形状と同じであり、第２嵌合部の互いに対向する二つの壁面に溝が設けられており、溝は固定ロッドの係止溝に対応し、固定具はほぼ卍字形を呈し、固定ユニットに係止具が設けられており、係止具に係止部が設けられており、係止部は、固定ロッド内に嵌め設けられており、固定ロッドの係止溝と互いに係止し、固定具の溝の底部に係止されており、係止具により、固定ロッドと固定具が結合されることを特徴とする。
【００２１】
本発明のボール収容枠によると、第１嵌合部は四角形を呈し、固定ロッドの断面形状は四角形を呈し、第１結合穴は円形な貫通孔であり、係止溝は、二つあり、固定ロッドの互いに対向する二つの壁面にそれぞれ対応し、長穴状を呈し、固定ロッドは中空であり、第２嵌合部の互いに対向する二つの壁面に溝が設けられており、溝は固定ロッドの係止溝に対応し、固定具はほぼ卍字形を呈することを特徴とする。
【００２２】
本発明のボール収容枠によると、複数のブライトリベット構造と、一つのアイレットリベット構造と、を有し、ブライトリベット構造により、バンドの第４結合部と支持枠の第１結合部が結合され、ブライトリベット構造が四つあり、バンドは、二つのストリップを十字形に交差して構成され、その中央の交差箇所がアイレットリベット構造で結合されることを特徴とする。
【００２３】
本発明のボール収容枠によると、台座の中央には、貫通孔である螺合穴が設けられており、螺合穴は内ねじを有し、支持具の一端に螺合部が設けられており、螺合部の周面に外ねじが設けられており、螺合部は螺合穴と螺合し、支持具はバンドの底部を支持し、袋の重量は、複数の支持枠と、バンドと、支持具とに支持されることを特徴とする。
【００２４】
本発明のボール収容枠によると、複数の第１枢着部と、複数の第１当接部と、を有し、第１枢着部が少なくとも三つあり、各第１当接部は各第１枢着部と連通し、第１当接部は、斜めに貫通する穴であり、その数量が第１枢着部と同じであり、第１当接部が第１角度で傾斜する台座と、その数量は台座の第１枢着部の数量と同じであり、台座の第１当接部に当接し、第２枢着部が設けられており、第２枢着部は、第１枢着部に対応して互いに枢着し、その上方に第１結合部が設けられており、第１結合部は第２結合部と第１枢着部の間に設けられている複数の支持枠と、台座の第１枢着部と支持枠の第２枢着部を枢着し、その数量が台座の第１枢着部の数量と同じである複数の枢着具と、を含み、複数の支持枠は、互いに交錯して放射状を呈し、平面又は床面で安定的に立つことが可能であり、第２結合部は支持枠の上方の端部に設けられていることを特徴とする。
【００２５】
本発明のボール収容枠によると、第１当接部の他側に第２当接部が設けられており、第２当接部は、第１当接部及び第１枢着部と連通し、直線的に貫通する穴であり、支持枠の第２枢着部は第１枢着部に枢着されており、これにより、支持枠は第１枢着部を中心として旋回することが可能であり、第２枢着部は円形な貫通孔であることを特徴とする。
【００２６】
本発明のボール収容枠によると、支持枠は袋を支持することが可能であり、袋はボールを収容することが可能であり、袋に第３結合部が複数設けられており、第３結合部は第２結合部と結合して互いに係止し、これにより、袋が複数の支持枠に組み付けられていることを特徴とする。
【００２７】
本発明のボール収容枠によると、支持枠にバンドを結合することが可能であり、バンドに第４結合部が複数設けられており、第４結合部は支持枠の第１結合部と結合し、バンドは袋の底部と接触し、これにより、袋の重量は複数の支持枠の第２結合部とバンドに支持されることが可能であり、ユーザがバンドを引くと、複数の支持枠が連動されて、台座の第１枢着部を中心として第２当接部に当接して収納状態になることを特徴とする。
【発明の効果】
【００２８】
本発明のボール収容枠によれば、次のような効果がある。
（１）一つの台座１０と少なくとも三つの支持枠２０だけが必要であり、各支持枠２０が第１当接部１２に当接し、これらの支持枠２０が互いに交錯して放射状となる。このように、本発明のボール収容枠を床面に安定的に置くことが可能であり、生産コストを減少することが可能である。
【００２９】
（２）図５及び図６を参照する。バンド４０に第４結合部４１が複数設けられており、第４結合部４１が支持枠２０の第１結合部２２と結合し、バンド４０が袋３０の底部に接触するため、袋３０と袋３０に収容されるボールの重量は複数の支持枠２０の第２結合部２３とバンド４０に支持される。バンド４０により、袋３０と袋３０に収容されるボールの重量が分散されて、支持枠２０の第２結合部２３に近接する箇所が変形する可能性を無くすことが可能である。
【００３０】
（３）図７から図９を参照する。ユーザがバンド４０を引くと、複数の支持枠２０が連動されて、台座１０の第１枢着部１１を中心として第２当接部１３に当接して収納状態になるため、収納が極めて便利である。
【００３１】
（４）図１０を参照する。係止ユニット７０は、オス係止部と、メス係止部と、を有し、同じ側辺に位置する異なる支持枠２０に設けられているため、本発明のボール収容枠が倒れても、複数の支持枠２０が係止ユニット７０に規制されて展開状態を保持する。
【図面の簡単な説明】
【００３２】
【図１】本発明の実施例１を示す分解斜視図である。
【図２】本発明の実施例１の台座を示す斜視図である。
【図３】本発明の実施例１の台座を示す平面図である。
【図４】図３におけるＢ-Ｂ線の断面図である。
【図５】本発明の実施例１の組合済み状態を示す斜視図である。
【図６】本発明の実施例１を示す側面図である。
【図７】本発明の実施例１の第１の動作を示す模式図である。
【図８】本発明の実施例１の第２の動作を示す模式図である。
【図９】本発明の実施例１の第３の動作を示す模式図である。
【図１０】本発明の実施例２を示す斜視図である。
【図１１】図１０におけるＢの拡大図である。
【図１２】本発明の実施例３の台座及び固定ユニットを示す分解斜視図である。
【図１３】本発明の実施例３を示す斜視図である。
【図１４】本発明の実施例４を示す分解斜視図である。
【図１５】本発明の実施例４を示す側面図である。
【図１６】本発明の実施例５を示す斜視図である。
【図１７】本発明の実施例６を示す分解斜視図である。
【図１８】本発明の実施例６の台座を示す斜視図である。
【図１９】本発明の実施例６の台座を示す平面図である。
【発明を実施するための最良の形態】
【００３３】
以下、本発明の実施の形態を図面に基づいて説明する。
【００３４】
（実施例１）
図１から図４を参照する。図１は本発明の実施例１を示す分解斜視図であり、図２は本発明の実施例１の台座を示す斜視図であり、図３は本発明の実施例１の台座を示す平面図であり、図４は図３におけるＢ-Ｂ線の断面図である。本実施例のボール収容枠は、台座１０と、複数の支持枠２０と、袋３０と、バンド４０と、複数の枢着具５０と、含む。
【００３５】
台座１０は、図２から図４に示すように、複数の第１枢着部１１と、複数の第１当接部１２と、が設けられている。第１枢着部１１は少なくとも三つある。本実施例では、第１枢着部１１が四つある。これらの第１枢着部１１は台座１０の周面に配列されている。第１枢着部１１の台座１０の周面に近接する箇所では、内ねじが設けられている。各第１当接部１２と各第１枢着部１１は互いに連通する。第１当接部１２は、斜めに貫通する穴であり、その数量が第１枢着部１１と同じであり、その他側に第２当接部１３が設けられている。第２当接部１３は、第１当接部１２及び第１枢着部１１と連通し、直線的に貫通する穴である。第２当接部１３は、四つあり、第１当接部１２との開角が第１角度１４を有する。第１角度１４は、３０度〜６０度であり、４５度であることが好ましい。第１当接部１２と第２当接部１３の間に第１凸部１５が設けられている。第１凸部１５は第１枢着部１１の付近に位置する。
【００３６】
複数の支持枠２０は、その数量が台座１０の第１枢着部１１の数量と同じである。本実施例では、支持枠２０が四つある。複数の支持枠２０は、それぞれ第１当接部１２に当接して、互いに交錯して放射状となり、平面又は床面で安定的に立つことが可能である。支持枠２０に第２枢着部２１が設けられている。第２枢着部２１は、第１枢着部１１に対応して互いに枢着し、円形な貫通孔であり、その上方に第１結合部２２が設けられている。このように、支持枠２０は、第１枢着部１１を中心として旋回することが可能である。支持枠２０の上方の端部に第２結合部２３が設けられている。第１結合部２２は第２結合部２３と第１枢着部２１の間に設けられている。第２結合部２３はフック状を呈する。支持枠２０は、円形の断面形状を有しややＳ字形を呈するロッドである。
【００３７】
袋３０は、ボールを収容することが可能であり、複数の第３結合部３１が設けられている。第３結合部３１は第２結合部２３と結合して互いに係止する。袋３０は複数の支持枠２０に組み付けられている。第３結合部３１の数量は、支持枠２０の第２結合部２３の数量と同じである。本実施例では、第３結合部３１が四つある。袋３０は網で構成される。
【００３８】
バンド４０に複数の第４結合部４１が設けられている。第４結合部４１は、支持枠２０の第１結合部２２と結合し、袋３０の底部と接触する。このように、袋３０の重量は複数の支持枠２０の第２結合部２３とバンド４０に支持されることが可能である。ユーザがバンド４０を引くと、複数の支持枠２０が連動されて、台座１０の第１枢着部１１を中心として第２当接部１３に当接して収納状態になる。支持枠２０が四つある場合には、バンド４０が交差して十字状を呈する。バンド４０は、樹脂、又はナイロンなどの耐用性が良いものを採用する。
【００３９】
複数の枢着具５０は、台座１０の第１枢着部１１と支持枠２０の第２枢着部２１を枢着し、その数量が台座１０の第１枢着部１１の数量と同じである。本実施例では、第１枢着部１１が四つある。枢着具５０にねじ部が設けられている。前記ねじ部は外ねじ状を呈する。これにより、枢着具５０は第１枢着部１１と螺合することが可能である。
【００４０】
図５及び図６を参照する。図５は本発明の実施例１の組合済み状態を示す斜視図であり、図６は本発明の実施例１を示す側面図である。台座１０の第１枢着部１１は、支持枠２０の第２枢着部２１に対応して互いに枢着する。複数の支持枠２０は、台座１０の第１当接部１２に当接して、互いに交錯して放射状となる。支持枠２０の第２結合部２３は、袋３０の第３結合部３１と結合して互いに係止する。このように、袋３０は複数の支持枠２０に組み付けられている。支持枠２０の第１結合部２２は、バンド４０の第４結合部４１と結合する。このように、袋３０はバンド４０に設けられている。すなわち、バンド４０と複数の支持枠２０により、袋３０を支持することが可能である。枢着具５０により、台座１０の第１枢着部１１と第２枢着部２１が枢着される。
【００４１】
図７を参照する。図７は本発明の実施例１の第１の動作を示す模式図である。本実施例のボール収容枠を収納したいときには、支持枠２０の第２結合部２３と袋３０の第３結合部３１を分離すると、袋３０を取り外すことが可能である。
【００４２】
図８を参照する。図８は本発明の実施例１の第２の動作を示す模式図である。ユーザがバンド４０を引き上げると、複数の支持枠２０が連動されて、台座１０の第１枢着部１１を中心として、支持枠２０が第１当接部１２から第２当接部１３へ移動する。
【００４３】
図９を参照する。図９は本発明の実施例１の第３の動作を示す模式図である。本実施例のボール収容枠が収納状態にあるときには、複数の支持枠２０が台座１０の第２当接部１３に当接する。第２当接部１３は直線的に貫通する穴である。すなわち、複数の支持枠２０のロッドは互いに平行し、且つ複数の支持枠２０は、第２当接部１３内の第１凸部１５と互いに係止するため、第１凸部１５に規制されて、第１当接部１２に戻すことができない。このように、本実施例のボール収容枠は、係止が更に安定的となる。
【００４４】
（実施例２）
図１０及び図１１を参照する。図１０は本発明の実施例２を示す斜視図であり、図１１は図１０におけるＢの拡大図である。本実施例では、複数のキャスター６０と、少なくとも一つの係止ユニット７０と、が設けられている。キャスター６０は、支持枠２０の下方の端部に設けられている。キャスター６０により、本実施例のボール収容枠の移動は便利となる。係止ユニット７０の一端は複数の支持枠２０のうちの一つに固定されている。係止ユニット７０の他端は、当該支持枠２０の隣接する支持枠２０に固定されている。係止ユニット７０の両端は、それぞれ台座１０の第１枢着部１１の上下方に位置する。本実施例のボール収容枠が倒れても、複数の支持枠２０が係止ユニット７０に規制されて展開状態を保持する。係止ユニット７０は、オス係止部７１と、メス係止部７２と、を有する。オス係止部７１とメス係止部７２は互いに係止することが可能である。オス係止部７１とメス係止部７２との他端は、固定バンド７３を介して支持枠２０に固定されている。オス係止部７１と固定バンド７３の長さの和は、メス係止部７２と固定バンド７３の長さの和よりも大きい。
【００４５】
（実施例３）
図１２を参照する。図１２は本発明の実施例３の台座１０及び固定ユニット９０を示す分解斜視図である。台座１０の中央に第１嵌合部１７が設けられている。第１嵌合部１７は円形ではない貫通孔である。本実施例では、第１嵌合部１７が四角形の断面形状を有する。第１嵌合部１７は第１枢着部１１と連通する。第１嵌合部１７に固定ユニット９０が設けられている。固定ユニット９０は、固定ロッド９１と、固定具９２と、係止具９３と、を含む。固定ロッド９１は、その断面形状が台座１０の第１嵌合部１７の形状に対応する。固定ロッド９１は、四角形の断面形状を有するロッドである。固定ロッド９１の一端に第１結合穴９１１が設けられている。第１結合穴９１１は台座１０の第１枢着部１１に対向する。枢着具５０は第１枢着部１１を挿通して第１結合穴９１１に収容される。このように、固定ロッド９１は台座１０に結合されている。第１結合穴９１１は、円形な貫通孔である。固定ロッド９１の他端に係止溝９１２が複数設けられている。本実施例では、係止溝９１２は、二つあり、固定ロッド９１の互いに対向する二つの壁面にそれぞれ対応し、長穴状を呈する。固定ロッド９１は中空である。
【００４６】
固定具９２は固定ロッド９１の他端に結合されている。固定具９２の中央に第２嵌合部９２１が設けられている。第２嵌合部９２１の断面形状は固定ロッド９１の断面形状と同じである。固定具９２に固定溝９２２が複数設けられている。固定溝９２２の幅は支持枠２０の幅と同じである。各固定溝９２２は支持枠２０を収容することが可能である。固定溝９２２の開口に近接する箇所では、第２凸部９２３が設けられている。第２凸部９２３は支持枠２０と互いに係止することが可能である。このように、支持枠２０は固定溝９２２から容易に離脱することができない。第２嵌合部９２１の互いに対向する二つの壁面に溝９２４が設けられている。溝９２４は固定ロッド９１の係止溝９１２に対応する。固定具９２はほぼ卍字形を呈する。
【００４７】
係止具９３に係止部９３１が設けられている。係止部９３１は、固定ロッド９１内に嵌め設けられており、固定ロッド９１の係止溝９１２と互いに係止する。係止部９３１は固定具９２の溝９２４の底部に係止されている。係止具９３により、固定ロッド９１と固定具９２が結合される。
【００４８】
図１３を参照する。図１３は本発明の実施例３を示す斜視図である。本実施例では、複数のブライトリベット構造８２と、一つのアイレットリベット構造８３と、を有する。ブライトリベット構造８２により、バンド４０の第４結合部４１と支持枠２０の第１結合部２２が結合される。ブライトリベット構造８２が四つある。バンド４０は、二つのストリップを十字形に交差して構成され、その中央の交差箇所がアイレットリベット構造８３で結合される。枢着具５０は、台座１０の第１枢着部１１を挿通して、固定ロッド９１の第１結合穴９１１に収容される。このように、固定ユニット９０は台座１０の下方に組み付けられている。本実施例のボール収容枠が収納状態にあるときに、複数の支持枠２０は、固定具９２の固定溝９２２に収容され、第２凸部９２３と互いに係止するため、支持枠２０が固定溝９２２から容易に離脱することができない。このように、本実施例のボール収容枠は、係止が更に安定的となり、収納が便利となる。
【００４９】
（実施例４）
図１４及び図１５を参照する。図１４は本発明の実施例４を示す分解斜視図であり、図１５は本発明の実施例４を示す側面図である。台座１０の中央には、貫通孔である螺合穴１６が設けられている。螺合穴１６は内ねじを有する。支持具８１の一端に螺合部が設けられている。前記螺合部の周面に外ねじが設けられている。前記螺合部は螺合穴１６と螺合する。支持具８１はバンド４０の底部を支持する。袋３０の重量は、複数の支持枠２０と、バンド４０と、支持具８１とに支持される。このように、本実施例のボール収容枠は、更に安定的となる。
【００５０】
（実施例５）
図１６を参照する。図１６は本発明の実施例５を示す斜視図である。台座１０に第１枢着部１１が三つ設けられている。すなわち、支持枠２０が三つある。袋３０の外観は円形を呈する。
【００５１】
（実施例６）
図１７から図１９を参照する。図１７は本発明の実施例６を示す分解斜視図であり、図１８は本発明の実施例６の台座１０を示す斜視図であり、図１９は本発明の実施例６の台座１０を示す平面図である。本実施例では、台座１０の長さが増加し、バンド４０の長さも増加するため、袋３０の収容空間が増加する。このように、本実施例のボール収容枠は、より多くのボールを収容することが可能である。
【産業上の利用可能性】
【００５２】
本発明は、収容枠に適用することができる。
【符号の説明】
【００５３】
１０  台座
１１  第１枢着部
１２  第１当接部
１３  第２当接部
１４  第１角度
１５  第１凸部
１６  螺合穴
１７  第１嵌合部
２０  支持枠
２１  第２枢着部
２２  第１結合部
２３  第２結合部
３０  袋
３１  第３結合部
４０  バンド
４１  第４結合部
５０  枢着具
６０  キャスター
７０  係止ユニット
７１  オス係止部
７２  メス係止部
７３  固定バンド
８１  支持具
８２  ブライトリベット構造
８３  アイレットリベット構造
９０  固定ユニット
９１  固定ロッド
９２  固定具
９３  係止具
９１１  第１結合穴
９１２  係止溝
９２１  第２嵌合部
９２２  固定溝
９２３  第２凸部
９２４  溝
９３１  係止部
【要約】      （修正有）【課題】部品点数の減少、生産コストの減少が可能であり、利用が便利なボール収容枠を提供する。【解決手段】複数の第１枢着部と、複数の第１当接部と、が設けられており、各第１当接部と各第１枢着部は互いに連通し、第１当接部は、斜めに貫通する穴であり、その数量が第１枢着部と同じであり、その他側に第２当接部が設けられている台座１０と、その数量は台座１０の第１枢着部の数量と同じであり、台座１０の第１当接部に当接し、第２枢着部２１が設けられており、第１結合部２２は第２結合部と第１枢着部の間に設けられている複数の支持枠２０と、第３結合部３１は第２結合部と結合して互いに係止する袋３０と、第４結合部４１は支持枠２０の第１結合部２２と結合し、袋３０の底部と接触するバンド４０と、台座１０の第１枢着部と支持枠２０の第２枢着部を枢着し、その数量が台座１０の第１枢着部の数量と同じである複数の枢着具５０と、を含む。【選択図】図１【図１】
0005845327.tif 000002
【図２】
0005845327.tif 000003
【図３】
0005845327.tif 000004
【図４】
0005845327.tif 000005
【図５】
0005845327.tif 000006
【図６】
0005845327.tif 000007
【図７】
0005845327.tif 000008
【図８】
0005845327.tif 000009
【図９】
0005845327.tif 000010
【図１０】
0005845327.tif 000011
【図１１】
0005845327.tif 000012
【図１２】
0005845327.tif 000013
【図１３】
0005845327.tif 000014
【図１４】
0005845327.tif 000015
【図１５】
0005845327.tif 000016
【図１６】
0005845327.tif 000017
【図１７】
0005845327.tif 000018
【図１８】
0005845327.tif 000019
【図１９】
0005845327.tif 000020